(57)【要約】【課題】  ミクロフィルターで濾過した空気を、歩行により靴内部の先端に供給し、換気を、自動的に行い足の蒸れや悪臭を防止し得る靴を提供する。【解決手段】  靴を履いて歩行又は走行時に、足の踵と靴の中底の間に、踵に掛かる体重の変化を応用して、逆支弁型の圧縮機構を取り付け、その圧縮機構に超微細フィルターを通過し、雑菌および水分を除去した新鮮な空気を靴の内部先端に供給し、靴内部の蒸れや悪臭を防止する。【選択図】  図２
2005046563.tif 000002
【特許請求の範囲】
【請求項１】
靴を履いて歩行または走行時に、足の踵と靴の中底との間に、体重による圧力の変化を応用した逆支弁型の圧縮機構を設け、その圧縮機構に超微細フィルターを通過した、雑菌および水分を除去した新鮮な空気を、靴の内部先端に供給し、靴内部の蒸れを防止する事を目的とした、靴の内部に取り付けることを特徴とする換気機構。
【請求項２】
靴を履いて歩行または走行時に、足の踵と靴の中底との間に、体重による圧力の変化を応用した逆支弁型の圧縮機構を設け、その圧縮機構に、雑菌および水分を除去した新鮮な空気を、靴の内部先端に供給する事を目的とし、逆支弁型の圧縮機構の空気取り入れ口に取り付けた、雑菌および水分を除去する事を特徴とする超微細フィルター。
【請求項３】
請求項１および請求項２において記述のごとく、圧縮機構に超微細フィルターを通過した、細菌および水分を除去した新鮮な空気を、靴の内部先端に供給する事を目的とした、靴の内部に取り付けた逆止弁型の圧縮機構で、超薄型を特徴とした逆支弁型圧縮機構。
【請求項４】
請求項１および請求項２、３において記述のごとく、その圧縮機構に超微細フィルターを通過した、細菌および水分を除去した新鮮な空気を、靴の内部先端に供給するため、両足の土踏まずの側面に超微細フィルターを薄型にして貼り付ける事を特徴とした空気取り入口。
【請求項５】
靴を履いて歩行または走行時に、靴の踵の内部の空洞を応用して、体重による圧力の変化を応用した逆支弁型の圧縮機構を設け、その圧縮機構に超微細フィルターを通過した、雑菌および水分を除去した新鮮な空気を、靴の内部先端に供給し、靴内部の蒸れを防止する事を目的とした、靴の踵内部の空洞に取り付けることを特徴とする換気機構。
【発明の詳細な説明】
【発明の詳細な説明】
【技術分野】
【０００１】本発明は、靴内部の特に指先部分に超微細フィルターで濾過した新鮮な空気を、歩行又は走行時に体重による踵と靴の中底との間の圧力により作動する圧縮機構で、自動的に指先部分に空気を供給し、靴内部の蒸れを防止する装置に関するものである。
【背景技術】
【０００２】  従来の靴は、通気に関しては皮を網状（通称メッシュ）に編んだものや、先端に近い部分に通気用の穴を開けたものは販売されているが、足指の蒸れを防止するために強制的に、靴の内部の空気を換気するための機構を有する靴は市場に販売されていない。
【発明が解決しようとする課題】
【０００３】  靴の内部、特に先端部分に新鮮な空気を供給するための空気の濾過装置には、ミクロ技術を応用したフィルターを装着する。このフィルターは空気のみを通過させ、水分や雑菌は通さない特性を持つ極細管フィルターで、如何なる形状にも製作でき、空気の取り入れ口の形状に合わせて加工する事が出来る。
空気を送出する逆支弁型空気圧縮機構は、単純な構造で軽量薄型の耐久性に富んだ換気機能の優れた機構を有するものである。
これらの機能を装着した靴を、低価格で市場に供給する事も本発明が解決するための課題である。
【課題を解決するための手段】
【０００４】  本発明は、前記の条件をすべて解決する機構で、靴の中底に取り付ける空気圧縮装置について説明すると、圧縮機構本体の厚さは２ミリメートルないし３ミリメートルで、吸気側と排気側それぞれに逆支弁を有する単純構造で、重量も数グラム程度で耐久性に富んだ材質および形状で、靴を履いて歩行または走行時にも、足の踵に対して違和感はまったく感じない構造である。
【０００５】  逆支弁型空気圧縮機構に新鮮な空気を供給す濾過装置は、ミクロ技術を応用した超微細フィルターを装着する。このフィルターは空気のみを通過させ、水分や雑菌は通さない特性を持つ極細管フィルターで、靴内部の湿度を低下させ、雑菌の繁殖を抑止することにより足の蒸れから発生する異臭の発生も抑止する事が出来る。
フィルターの形状は、如何なる形状にも製作でき、空気の取り入れ口の形状に合わせて加工する事が出来る。
本発明の靴内部への新鮮な空気の取り入れについては、両足の土踏まずの側面より取り入れ、超微細フィルターは薄型に加工し、靴の内面に貼り付けるような状態として取り付ける。
【０００６】  靴内部の先端に新鮮な空気を供給するためのパイプは、靴底の側面底部に配置する。空気の供給量については、靴を履いた状態で、先端の空間は１０ないし５０立方センチであるため、１歩の圧力で送出する量は数ｍｍ立方の容積で足りる。普通の歩測は毎分８０歩から１６０歩程度であるので、平均を１００歩とした場合、１歩の圧力で僅か５ｍｍ立方の送出能力があれば、５０立方センチの空間の空気の入れ替えは、理論的には僅か１分間で可能となる。但し，足を保護するための靴下（ソックス）により靴先が密室状態にある場合は、靴内部のつま先部分は加圧状態となるので、その空気の入れ替えについては、理論的な計算値通りには行かないと思うが、１日に数千歩を歩く日常生活からすれば、実用上は十分に可能となる。
【発明を実施するための最良の形態】
【０００７】  本発明の靴内部の換気機構は、靴の中敷に吸気のための空気濾過装置およびを逆止弁を有する通称ダイヤフラムポンプおよび靴内部の先端部分に新鮮な空気を送出するための空気管等をすべてセットにしておく。
靴の製造メーカーでは、中式を入れるのと同じような工程でセット出来るように、靴の大きさに合わせた各種サイズの靴内部の換気装置をあらかじめ用意をしておく。【０００８】  本発明の靴内部の換気機構の超微細フィルターについて説明する。このフィルターは、通称ミクロフィルターと称する素材で製作する。商品名しては「ゴアテックス」の品名で特にスポーツウェアーやスポーツ用品に多用されているミクロ繊維で、空気のみは通過させることが出来るが、水蒸気や雑菌等も透過させない性質を持っている。
これを素材として、薄く仕上げる事により、靴内部の土踏まず側面に貼り付けて使用する。吸気については、毎分５０立方センチメートル程度の透過量であるため、外気の取り入れについては、フィルター側面上部に直径１ミリメートル程度の吸気口を３ないし５個明ける事により十分な量の外気を取り入れることが出来る。
取り入れた空気は、フィルター下部より直径１ミリ程度のパイプで逆支弁型空気圧縮機構の入力側逆支弁に接続する。【０００９】  本発明の逆支弁型空気圧縮機構について説明する。これは通称ダイヤフラムポンプで、厚さを３ミリメートル程度に製作し、中敷の踵部分の裏面に取り付ける。フィルターより送出された新鮮な空気は、空気取り入れ口より逆止弁を通って、圧縮機構本体の中に取り入れられ、圧縮機構上面が歩行又は走行時の踵の繰り返し動作により押し下げられたときには、逆支弁１が閉じて逆支弁２が開いて、圧縮機構内部の空気は逆支弁２に接続したパイプにより、靴内部の指先部分空気を供給する事が出来る。
又、歩行又は走行により、踵が中敷より離れた場合には、圧縮機構上部が元に戻ろうとして、内部が負圧に成るため逆支弁２が閉じて、逆支弁１が開いて、フィルターからの新鮮な空気が圧縮機構内部に充満する。
この動作の繰り返しにより、歩行又は走行時には、絶えず新鮮な空気を靴内部の指先部分に送出することが出来る。
圧縮機構から送出される空気配管は直径１ミリメートル程度の細い配管とし、中敷の側面に沿って配管するため、靴内部の足については、まったく違和感を感じる事はない。【００１０】  本発明の踵内部の空洞を応用した逆支弁型空気圧縮機構について説明する。これは靴の重量を軽減するために踵内部に設けた空洞を応用して、逆支弁型空気圧縮機構（通称ダイヤフラムポンプ）を取り付ける。フィルターより送出された新鮮な空気は、空気取り入れ口より逆止弁を通って、圧縮機構本体の中に取り入れられ、圧縮機構上面が歩行又は走行時の踵の繰り返し動作により押し下げられたときには、逆支弁１が閉じて逆支弁２が開いて、圧縮機構内部の空気は逆支弁２に接続したパイプにより、靴内部の指先部分空気を供給する事が出来る。
【発明の効果】
【００１１】  このように、本発明の「靴内部の換気機構」を装着した靴で、歩行又は走行する場合は、フィルターを通して新鮮な空気が、歩行又は走行時の踵の繰り返し動作により、フィルターを通して新鮮な空気が圧縮機構を経過して絶えず靴内部指先部分に供給され、内部の空気は自動的に循環し押し出されるので、靴の内部は絶えず新鮮な空気に入れ替わる。
特に女性が履いている通称「ブーツ」のように、空気の取入れが極端に悪い靴についても、空気の取り入れ口のフィルターをブーツ上部に取り付けることにより、絶えず新鮮な空気を靴全体に取り入れることが出来、快適に歩行する事が出来る。
このように、本発明は、靴内部の指先部分の湿気を排除し、新鮮な空気に入れ替えることにより足の蒸れや、不快な悪臭を発生することなく、足の健康を保つ事に貢献できるものと確信します。
【図面の簡単な説明】
【００１２】
【図１】靴の断面を示す
【図２】靴の中敷を示す
【図３】靴の踵部分を示す
【図４】踵と圧縮機構を示す
【図５】踵の圧縮機構に圧力が加わった図を示す
【図６】踵内部の空洞を応用した圧縮機構を示す
【図７】図６の断面を示す
【図８】空洞を応用した圧縮機構に圧力が加わった図を示す
【符号の説明】
【００１３】  １  超微細フィルター
２  圧縮機構
３  気送管
４  入力側逆支弁１
５  出力側逆支弁２
６  中敷
７  靴の踵
８  靴の側面
９  踵の空洞
１０  空洞を応用した圧縮機構
【図１】
2005046563.tif 000003
【図２】
2005046563.tif 000004
【図３】
2005046563.tif 000005
【図４】
2005046563.tif 000006
【図５】
2005046563.tif 000007
【図６】
2005046563.tif 000008
【図７】
2005046563.tif 000009
【図８】
2005046563.tif 000010